(57)【要約】【課題】  竿を操作する手と脇腹の間の後側や手とお腹との間の位置から既成バッテリーのコードを垂れ下げ得るような構成にすることにより、欠点及び課題を一挙に解消できるようにした新規の釣竿のバット及び当該バットを備えた釣竿を提供する。【解決手段】  リールシートを備えた釣竿本体のバット本体にコードを通し、当該コードの一方端に電源側固定コネクタを接続して当該電源側固定コネクタをバット本体のエンド部分若しくは当該エンド部分に近い個所に固定することにより既成バッテリーの接続が可能にされ、またバット本体における前記リールシート若しくは当該リールシートに近い位置で前記コードの他方端を外に出すと共にその外端に給電部着脱コネクタを取付け、当該給電部着脱コネクタは、前記リールシートに保持固定された既成電動リールが備えている受電コネクタに接続可能にされてなることを特徴とする。【選択図】        図２
2007300841.tif 000002
【特許請求の範囲】
【請求項１】
リールシートを備えた釣竿本体のバット本体にコードを通し、当該コードの一方端に電源側固定コネクタを接続して当該電源側固定コネクタをバット本体のエンド部分若しくは当該エンド部分に近い個所に固定することにより既成バッテリーの接続が可能にされ、またバット本体における前記リールシート若しくは当該リールシートに近い位置で前記コードの他方端を外に出すと共にその外端に給電部着脱コネクタを取付け、当該給電部着脱コネクタは、前記リールシートに保持固定された既成電動リールが備えている受電コネクタに接続可能にされてなることを特徴とする釣竿のバット。
【請求項２】
前記コードにおける外出し部分が、バット本体と既成電動リールを支え持つ手の甲の外側を通る湾曲形状を呈し且つ当該湾曲形状部の一方の端部分が同手の親指と人差し指の間を経てまた他方の端部分が同手の小指の付根から同手の踝に至る手の外周縁の外側を経て既成電動リールの受電用コネクタに連結しうるようにされたことを特徴とする請求項１記載の釣竿のバット。
【請求項３】
前記電源側固定コネクタが、バット本体の中心軸に直交する向きとして突設され、実釣体勢時にあっては既成バッテリーコードが下方に垂れるようにされたことを特徴とする請求項１又は２記載の釣竿のバット。
【請求項４】
前記コードをバット本体内部分と前記外出し部分とに分離し、バット本体内部分側の分離端には中間部固定コネクタを取り付けまた外出し部分の分離端側には中間部着脱コネクタを取り付けると共に前記中間部固定コネクタを前記バット本体に固定し、当該中間部固定コネクタに前記中間部着脱コネクタを接離可能にして成ることを特徴とする請求項１〜３いずれか一つの請求項記載の釣竿のバット。
【請求項５】
前記請求項１〜４いずれか一つの請求項記載の釣竿のバットを備えたことを特徴とする釣竿。
【発明の詳細な説明】
【技術分野】
【０００１】
本発明は、電動リールを保持固定するリールシートを備えた釣竿のバット及び当該バットを備えた釣竿に関する。
【背景技術】
【０００２】
一般に、船釣等の深場あるいは沖合いでの釣には、電動リールが多く使用されている。このような電動リールへの給電は、リール本体に設けた受電部に長いバッテリーコードを接続し、この長いバッテリーコードを介して遠く離れた外部バッテリーから受電するようにされている。
【０００３】
このように長いバッテリーコードを介して魚釣用リールとこれから遠く離れたバッテリーとを接続して行う給電方法は、長いバッテリーコード自体が邪魔になるのみならず魚の当たりを待ったり、誘い操作や魚の取込み操作の際に、この長いバッテリーコードで釣竿の動きが制約され、誘い操作や魚の取込み操作等を思い通りに行うことができない不都合があり、不便であった。
【０００４】
そこで従前、バット本体に電池を内蔵若しくは外付け構成にしてコードレスにしたタイプ（特許文献１参照）や、竿受け装置に設けたコネクタを介して受電するタイプ（特許文献２参照）が提供されている。
【０００５】
しかしながら、前者には、多数個の電池を収容若しくは付ける必要があり、釣竿全体が重く大型になるから、誘い操作や魚の取込み操作等の魚釣操作が困難になる欠点があり、また後者にも釣竿を操作する手の前からコードが垂れ下がり邪魔になるので充分には、誘い操作や魚の取込み操作等を思い通りに行うことができないという課題が残っていた。
【特許文献１】実開昭６３−１２７３６１号公報
【特許文献２】実公平５−４７５８６号公報
【発明の開示】
【発明が解決しようとする課題】
【０００６】
本発明は、前記のような実情に鑑み、竿を操作する手と脇腹の間の後側や手とお腹との間の位置から既成バッテリーのコードを垂れ下げ得るような構成にすることにより、前記欠点及び課題を一挙に解消できるようにした新規の釣竿のバット及び当該バットを備えた釣竿を提供することを目的とする。
【課題を解決するための手段】
【０００７】
上記目的を達成するために、請求項１に係る釣竿のバットは、リールシートを備えた釣竿本体のバット本体にコードを通し、当該コードの一方端に電源側固定コネクタを接続して当該電源側固定コネクタをバット本体のエンド部分若しくは当該エンド部分に近い個所に固定することにより既成バッテリーの接続が可能にされ、またバット本体における前記リールシート若しくは当該リールシートに近い位置で前記コードの他方端を外に出すと共にその外端に給電部着脱コネクタを取付け、当該給電部着脱コネクタは、前記リールシートに保持固定された既成電動リールが備えている受電コネクタに接続可能にされてなることを特徴とする。
【０００８】
したがって、請求項１に係る釣竿のバットを釣竿に備えた状態においては、電源側固定コネクタに既成バッテリーを接続し且つ既成電動リールの受電コネクタに給電部着脱コネクタを接続した体勢を整えることが可能になるから、当該バットを備えた釣竿を用いて実釣する場合には、竿を操作する手と脇腹の間の後側や手とお腹との間の位置から既成バッテリーのコードを垂れ下げた状態を容易に且つ自然に確保できる。
【０００９】
請求項２に係る釣竿のバットは、前記コードにおける外出し部分が、バット本体と既成電動リールを支え持つ手の甲の外側を通る湾曲形状を呈し且つ当該湾曲形状部の一方の端部分が同手の親指と人差し指の間を経てまた他方の端部分が同手の小指の付根から同手の踝に至る手の外周縁の外側を経て既成電動リールの受電用コネクタに連結しうるようにされたことを特徴とする。
【００１０】
したがって、前記実釣の場合にバット本体及び電動リールを手に持つときには、湾曲形状部は、図６〜８に示すように手の外側を迂回している形態になるので、バット本体及び電動リールを手に持ったり放したりする操作の邪魔にはならなく当該操作が容易にできる。湾曲形状部は、大き過ぎて垂れるような場合には邪魔になり、小さ過ぎると手に持ったり放したりする際の手の出し入れが行い辛くなるので好ましくない。
【００１１】
請求項３に係る釣竿のバットは、前記電源側固定コネクタが、バット本体の中心軸に直交する向きとして突設され、実釣体勢時にあっては既成バッテリーコードが下方に垂れるようにされたことを特徴とする。
【００１２】
したがって、例えば、大物が掛かる等して竿尻をお腹の前に当てて竿の操作を行う等の場合には、バッテリーコードのコネクタ部分が邪魔にならない。
【００１３】
請求項４に係る釣竿のバットは、前記コードをバット本体内部分と前記外出し部分とに分離し、バット本体内部分側の分離端には中間部固定コネクタを取り付け、また外出し部分の分離端側には中間部着脱コネクタを取り付けると共に前記中間部固定コネクタを前記バット本体に固定し、当該中間部固定コネクタに前記中間部着脱コネクタを接離可能にして成ることを特徴とする。
【００１４】
したがって、バッテリーコードも前記外出し部分も外された状態にされたバット本体は、邪魔部分を有しないすっきりしたコード無しの格好になるから、格納時、包装時若しくは携帯時のような不使用時には取り扱い易くなり好適である。
【００１５】
請求項５に係る釣竿は、前記請求項１〜４いずれか一つの請求項記載の釣竿のバットを備えたことを特徴とするので、前記請求項１〜４に係る釣竿のバットをして前記諸効果・利点を享受できるから、商品価値の高い製品を提供できる。
【発明の効果】
【００１６】
本発明に係る釣竿のバットは、前記の通りであるので、当該バットを釣竿に備えた状態においては、電源側固定コネクタに既成バッテリーを接続し且つ既成電動リールの受電コネクタに給電部着脱コネクタを接続した体勢を整えることが可能になるから、当該バットを備えた釣竿を用いて実釣する場合には、竿を操作する手と脇腹の間の後側や手とお腹との間の位置から既成バッテリーのコードを垂れ下げた状態を容易に且つ自然に確保できる。すなわち、既成バッテリーのコードに起因していた前記欠点及び課題を一挙に解消できる。
【００１７】
特に請求項２に係る釣竿のバットは、前記のように、コードにおける外出し部分が、バット本体と既成電動リールを支え持つ手の甲の外側を通る湾曲形状を呈し且つ当該湾曲形状部の一方の端部分が同手の親指と人差し指の間を経てまた他方の端部分が同手の小指の付根から同手の踝に至る手の外周縁の外側を経て既成電動リールの受電用コネクタに連結しうるようにしてあるので、前記実釣の場合にバット本体及び電動リールを手に持つときには、湾曲形状部は、図６〜８に示すように手の外側を迂回している形態になり、バット本体及び電動リールを手に持ったり放したりする操作の邪魔にはならなく当該操作が容易にできる。
【００１８】
また、請求項３に係る釣竿のバットは、前記電源側固定コネクタが、バット本体の中心軸に直交する向きとして突設され、実釣体勢時にあっては既成バッテリーコードが下方に垂れるようにしたので、例えば、大物が掛かり竿尻をお腹の前に当てて竿の操作を行う等の場合には、バッテリーコードのコネクタ部分が邪魔にならない。
【００１９】
さらに、請求項４に係る釣竿のバットは、前記コードをバット本体内部分と前記外出し部分とに分離し、バット本体内部分側の分離端には中間部固定コネクタを取り付け、また外出し部分の分離端側には中間部着脱コネクタを取り付けると共に前記中間部固定コネクタを前記バット本体に固定し、当該中間部固定コネクタに前記中間部着脱コネクタを接離可能にして成るので、バッテリーコードも前記外出し部分も外された状態にされたバット本体は、邪魔部分を有しないすっきりしたコード無しの格好になるから、格納時、包装時若しくは携帯時のような不使用時には取り扱い易くなり好適であるのみならず同様にバッテリーコードも前記外出し部分も外した場合には、バット本体に手巻きのリールを装着して使用できるようになるから、消費者は結果として、電動用、手巻き用の２本を購入する必要がなく経済的に有利である。
【００２０】
また、複数種類の電動リールを適宜に用意・交換して使用したい本発明に係るバットを既に所持している消費者には、外出し部分（後述する中間部着脱コネクタ１７及び給電部着脱コネクタ１６をもつリール接続コード１１）だけを提供するようにすることで対処できる。さらに、メーカーは、当該外出し部分の多種類をバット本体とは別の製品として提供できるようになり、しかもバット本体と外出し部分とを別管理できるようになるから、独自の釣竿を希望する消費者等には、納期的、コスト的等において好ましいサービスできる。また、本発明に係るバットを備えた釣竿は、消費者が当該バットをして前記諸効果・利点を享受できる。
【発明を実施するための最良の形態】
【００２１】
図１〜３は、本発明の第１実施の形態に係る釣竿のバット１００を示す。なお、図１は当該釣竿本体本発明に係るバット１００を備えた釣竿を示す底面図であり、図２は同じく分解図であり、図３は図１AーA線に沿う拡大断面図である。
【００２２】
この第１実施の形態に係る釣竿のバット１００は、リールシート１を先端個所に備えバットエンド２を基端に備えた中空のバット本体３を構成し、このバット本体３においてバットエンド２に近い個所及びリールシート１に近い個所に電源側孔４及びリール側孔５を開けて当該電源側孔５には電源側固定コネクタ６を嵌め込んで固定し、またリール側孔５には中間部固定コネクタ７を嵌め込んで固定すると共に前記バット本体３内に中間コード８を通してその基端及び先端を前記電源側固定コネクタ６及び中間部固定コネクタ７にそれぞれ接続してある。そして、電源側固定コネクタ６には既成バッテリー（図示せず）から受電するバッテリーコード９を接続し、また中間部固定コネクタ７には既成電動リール１０へ給電するリール接続コード１１を接続する構成にしてある。前記各コネクタ６、７の電源側孔４、リール側孔５への嵌め込み固定部は、合成樹脂系接着剤（図示せず）により防水処理及び感電防止処理が施されている。このような処理を行う場合には、その他の部分にも同様の処理を施して充分な効果を得るようにする。
【００２３】
前記バッテリーコード９は、その基端に既成バッテリーのプラス端子・マイナス端子（図示せず）に接続する一対の絶縁カバー付きワニ口クリップ１２、１３を有し、先端には前記電源側固定コネクタ６に連結する電源側着脱コネクタ１４を有している。
【００２４】
前記リール接続コード１１は、リールシート１に支持固定された既成電動リール１０の受電コネクタ１５に接続する給電部着脱コネクタ１６を有し基端には前記中間部固定コネクタ７に連結する中間部着脱コネクタ１７を有する。
【００２５】
すなわち、前記第１実施の形態に係る釣竿のバット１００は、(a)リールシート１に電動リール１０を固定する操作、(b)電動リール１０が有する受電コネクタ１５にリール接続コード１１が有している給電部着脱コネクタ１６を連結する操作、(c)リール接続コード１１が有している中間部着脱コネクタ１７をバット本体３が有している中間部固定コネクタ７に連結する操作、(d)バット本体３が有している電源側固定コネクタ６にバッテリーコード９が有している電源側着脱コネクタ１４を連結する操作を行って電動リール１０の受電状態を確保できるようにされている。
【００２６】
したがって、前記の第１実施の形態に係る釣竿のバット１００は、例えばリール接続コード１１及びバッテリーコード９を外し、リールシート１から電動リール１０を外して手動リールに着け替えることで手巻きタイプに容易に変更できる。
【００２７】
なお、リール接続コード１１及びバッテリーコード９を外した状態の場合においては、電源側固定コネクタ６及び中間部固定コネクタ７に水が入らないようにする必要があるから、このために、これら電源側固定コネクタ６、中間部固定コネクタ７には紛失防止用係累バンド付き防水用キャップ１８、１９が備えられている。
【００２８】
前記バット本体３は、実釣のときには電動リール１０が上になる状態にして使用される。具体的には、図６〜８に示すように左の手で電動リール１０とバット本体３とを一緒に握り持ち、右の手で電動リール１０のハンドル１０aを操作する体勢で使用される。より詳しくは、親指の先を電動リール１０の上に掛け、中指と薬指の間にハンドル１０aの付根部分を挟み、左手の掌を下からバット本体３及び電動リール１０に宛がうような握り方で全体を保持しながら右の手で電動リール１０のハンドル１０aを回転操作するような使われ方で使用される。
【００２９】
このため、電動リール１０が有する受電コネクタ１５は、前記のような握り方を考慮して親指と人差し指の間から下方向きに出るような構成にされている。
【００３０】
また、バット本体３が有する中間部固定コネクタ７は、前記握り方にされた左手の小指の付根から同手の踝に至る外周縁の外側に位置する個所に右方に向く状態で設けてある。
【００３１】
すなわち、これら受電コネクタ１５、中間部固定コネクタ７は、これらに連結されたリール接続コード１１が左手の甲の外を迂回する形態に連結されるべき向きになして設けられている。
【００３２】
図４及び５は、本発明の第２実施の形態に係る釣竿のバット２００を示す。なお、図４は当該釣竿本体本発明に係るバット２００を備えた釣竿を示す底面図であり、図５は同じく分解図であ。
【００３３】
この第２実施の形態に係る釣竿のバット２００は、リールシート２１を先端個所に備えバットエンド２２を基端に備えた中空のバット本体２３を構成し、このバット本体２３においてバットエンド２２の端面及びリールシート２１に近い個所に電源側孔２４及びリール側孔２５を開け、前者の電源側孔２４に電源側固定コネクタ２６を嵌め込んで固定すると共に前記バット本体２３内に中間コード２８を通してその基端を電源側固定コネクタ２６に接続すると共に同中間コード２８を延長して当該延長部をリール接続コード３１とし、当該リール接続コード３１を前記後者のリール側孔２５から外に出してその先端に電動リール３０の受電コネクタ３５に接続する給電部着脱コネクタ３６を連結してある。そして、電源側固定コネクタ２６にはバッテリー（図示せず）から受電するバッテリーコード２９を接続して構成されている。前記電源側固定コネクタ２６の電源側孔４への嵌め込み固定部及びリール接続コード３１を外に出した後者のリール側孔２５は、合成樹脂系接着剤（図示せず）により防水処理及び感電防止処理が施している。
【００３４】
前記バッテリーコード２９は、その基端にバッテリーのプラス端子・マイナス端子（図示せず）に接続する一対の絶縁カバー付きワニ口クリップ３２、３３を有し、先端には前記先端部コネクタ２６に連結する連結用コネクタ３４を有する。
【００３５】
また、前記リール接続コード３１は、その先端に電動リール３０の受電コネクタ３５に接続する給電部着脱コネクタ３６を有する。
【００３６】
すなわち、前記第２実施の形態に係る釣竿のバット２００は、(a’)リールシート２１に電動リール３０を固定する操作、(b’)電動リール３０が有する受電コネクタ３５にリール接続コード３１が有している給電部着脱コネクタ３６を連結する操作、(d’)バット本体２３が有している電源側固定コネクタ２６にバッテリーコード２９が有している電源側着脱コネクタ３４を連結する操作を行って電動リール３０の受電状態を確保できるようにされている。
【００３７】
要するに、この第２実施の形態に係る釣竿のバット２００は、前記第１実施の形態に係る釣竿のバット１００が必要としていた前記(c)の操作を行わないでもよい構成にされているものである。つまり、リール接続コード３１を外すことができない構成にされているものである。なお、電源側固定コネクタ２６及び給電部着脱コネクタ３６は、紛失防止用係累バンド付き防水用キャップ３８を備えている。
【００３８】
前記第２実施の形態に係る釣竿のバット２００におけるバット本体２３も、前記第１実施の形態に係る釣竿のバット１００におけるバット本体３と同様の握り方で操作する使われ方で使用されるから、電動リール３０が有する受電コネクタ３５は、前記のような握り方を考慮して親指と人差し指の間から下方向きに出るような構成にされている。
【００３９】
また、バット本体２３から外に出るリール接続コード３１は、前記握り方にされた左手の小指の付根から同手の踝に至る手の外周縁の外側に位置する個所に右方に向く状態で外に出され、受電コネクタ３５には左手の甲の外を迂回する形態で連結される向きに接続されるようになっている。
【００４０】
以上、本発明の実施形態について説明したが、本発明は、上記実施形態に限定されるものでなく、特許請求の範囲に記載された発明の精神を逸脱しない範囲において、たとえば次にような種々の態様で実施することが可能であり、本発明はこれ等実施されたものにも及ぶものである。
・  継ぎ竿、バットをたす竿、その他形態が異なる竿にする。
・  中間コードをバット本体に埋め込んで成形する。
・  バット本体に裸電線を埋め込んで中間コードとする。
・  バット本体に細いパイプを沿わせ固定してそれに中間コードを通す。
・  中間コードをステンレス等金属パイプに挿通してからバット本体に通す。
・  リール接続コード１１、２１はコイル式伸縮タイプとする。
【図面の簡単な説明】
【００４１】
【図１】第１実施の形態に係るバットを備えた釣竿を示す底面図である。
【図２】同じく分解図である。
【図３】図１AーA線に沿う拡大断面図である。
【図４】第２実施の形態に係るバットを備えた釣竿を示す底面図である。
【図５】同じく分解図である。
【図６】左手に持った状態をリールの下面の方から見た状態を示す説明図である。
【図７】同じくリールの右面の方から見た状態を示す説明図である。
【図８】同じくリールの正面の方から見た状態を示す説明図である。
【符号の説明】
【００４２】
１００  第１実施の形態に係る釣竿のバット
１  リールシート
２  バットエンド
３  バット本体
４  電源側孔
５  リール側孔
６  電源側固定コネクタ
７  中間部固定コネクタ
８  中間コード
９  バッテリーコード
１０  既成電動リール
１０a  ハンドル
１１  リール接続コード
１２、１３  絶縁カバー付きワニ口クリップ
１４  電源側着脱コネクタ
１５  受電コネクタ
１６  給電部着脱コネクタ
１７  中間部着脱コネクタ
１８、１９  防水用キャップ
２００  第２実施の形態に係る釣竿のバット
２１  リールシート
２２  バットエンド
２３  バット本体
２４  電源側孔
２５  リール側孔
２６  電源側固定コネクタ
２８  中間コード
２９  バッテリーコード
３０  電動リール
３１  リール接続コード
３２、３３  絶縁カバー付きワニ口クリップ
３４  電源側着脱コネクタ
３５  受電コネクタ
３６  給電部着脱コネクタ
３８  防水用キャップ
【図１】
2007300841.tif 000003
【図２】
2007300841.tif 000004
【図３】
2007300841.tif 000005
【図４】
2007300841.tif 000006
【図５】
2007300841.tif 000007
【図６】
2007300841.tif 000008
【図７】
2007300841.tif 000009
【図８】
2007300841.tif 000010